(57)【特許請求の範囲】
【請求項１】
所定の表示部に待ち受け画面における壁紙画像である第１画像を表示する第１表示手段と、
前記第１表示手段によって表示された第１画像上の任意の位置を指定する指定操作を受け付ける受付手段と、
前記受付手段によって指定操作が受け付けられた場合に、前記第１画像よりも小さく当該第１画像が有する特徴と共通する特徴を有する第２画像を前記第１画像上における前記任意の位置に表示するとともに、所定のアプリケーションを起動するためのアイコンを前記第１画像上に表示する第２表示手段と
を備えることを特徴とする表示処理装置。
【請求項２】
前記第２表示手段は、
前記第２画像及び前記アイコンを表示してから所定の時間が経過した場合に、当該第２画像及び当該アイコンを非表示にする
ことを特徴とする請求項１に記載の表示処理装置。
【請求項３】
前記第２表示手段は、
前記第２画像を表示してから第１の時間が経過した場合に当該第２画像を非表示にし、前記アイコンを表示してから前記第１の時間よりも長い第２の時間が経過した場合に当該アイコンを非表示にする
ことを特徴とする請求項２に記載の表示処理装置。
【請求項４】
前記第２表示手段は、
前記第２画像を表示してから前記非表示にする時間が経過する前に、前記受付手段によって新たな指定操作が受け付けられた場合に、表示済みの第２画像を表示したまま、前記新たな指定操作において指定された位置に前記第２画像を新たに表示する
ことを特徴とする請求項２又は３に記載の表示処理装置。
【請求項５】
前記第２表示手段は、
前記アイコンを表示してから前記非表示にする時間が経過する前に、前記受付手段によって新たな指定操作が受け付けられた場合に、表示済みのアイコンを非表示にするとともに、当該アイコンを新たに表示する
ことを特徴とする請求項２〜４のいずれか一つに記載の表示処理装置。
【請求項６】
前記第２表示手段は、
前記第１画像に関連する演出で前記第２画像又は前記アイコンを非表示にする
ことを特徴とする請求項２〜５のいずれか一つに記載の表示処理装置。
【請求項７】
前記第２表示手段は、
前記第２画像又は前記アイコンが表示されている位置に応じて、前記演出を変動させる
ことを特徴とする請求項６に記載の表示処理装置。
【請求項８】
前記第２表示手段は、
前記受付手段によって受け付けられた任意の位置に応じて、異なる第２画像又はアイコンを表示する
ことを特徴とする請求項１〜７のいずれか一つに記載の表示処理装置。
【請求項９】
前記第２表示手段は、
前記アイコンが押下されることで前記アプリケーションが起動された場合に、当該アプリケーションが起動された後の画面に前記第１画像に関連する情報又は画像を表示する
ことを特徴とする請求項１〜８のいずれか一つに記載の表示処理装置。
【請求項１０】
前記第２表示手段は、
前記指定操作において指定された任意の位置に基づく位置に前記アイコンを表示する
ことを特徴とする請求項１〜９のいずれか一つに記載の表示処理装置。
【請求項１１】
前記第２表示手段は、
前記指定操作において指定された任意の位置に関係なく予め決められている位置に前記アイコンを表示する
ことを特徴とする請求項１〜９のいずれか一つに記載の表示処理装置。
【請求項１２】
前記第２表示手段は、
前記受付手段によって指定操作が受け付けられた場合に、当該指定操作において指定された任意の位置から前記予め決められている位置まで前記アイコンを移動させる
ことを特徴とする請求項１１に記載の表示処理装置。
【請求項１３】
表示処理装置が実行する表示処理方法であって、
所定の表示部に待ち受け画面における壁紙画像である第１画像を表示する第１表示工程と、
前記第１表示工程によって表示された第１画像上の任意の位置を指定する指定操作を受け付ける受付工程と、
前記受付工程によって指定操作が受け付けられた場合に、前記第１画像よりも小さく当該第１画像が有する特徴と共通する特徴を有する第２画像を前記第１画像上における前記任意の位置に表示するとともに、所定のアプリケーションを起動するためのアイコンを前記第１画像上に表示する第２表示工程と
を含んだことを特徴とする表示処理方法。
【請求項１４】
所定の表示部に待ち受け画面における壁紙画像である第１画像を表示する第１表示手順と、
前記第１表示手順によって表示された第１画像上の任意の位置を指定する指定操作を受け付ける受付手順と、
前記受付手順によって指定操作が受け付けられた場合に、前記第１画像よりも小さく当該第１画像が有する特徴と共通する特徴を有する第２画像を前記第１画像上における前記任意の位置に表示するとともに、所定のアプリケーションを起動するためのアイコンを前記第１画像上に表示する第２表示手順と
コンピュータに実行させることを特徴とする表示処理プログラム。
【発明の詳細な説明】
【技術分野】
【０００１】
本発明は、表示処理装置、表示処理方法及び表示処理プログラムに関する。
【背景技術】
【０００２】
近年、スマートフォンやタブレット型ＰＣ（Personal  Computer）等の端末装置は、普及率が飛躍的に伸びている。このような端末装置は、画面サイズの大きいディスプレイが搭載されており、多くの情報を表示することに適している。この種の端末装置は、デスクトップ型ＰＣと同様に、ユーザによって選択された壁紙画像を待ち受け画面として表示することが可能である。また、Ａｎｄｒｏｉｄ（登録商標）  ＯＳ（Operating  System）が搭載されている端末装置では、アニメーション表示やユーザ操作の受け付けが可能な壁紙（「ライブ壁紙」等と呼ばれている）を待ち受け画面として表示することも可能である。
【０００３】
このような壁紙に関連する技術として、壁紙画像内の一部の領域を操作キー割当領域として設定し、入力を受け付けた位置の操作キー割当領域に対応する操作キーに応じた制御を行う技術が知られている。かかる技術によれば、待ち受け画面が操作キーのアイコンで隠れてしまうことを防止できるとも考えられる。
【先行技術文献】
【特許文献】
【０００４】
【特許文献１】特開２０１２−０４３３５９号公報
【発明の概要】
【発明が解決しようとする課題】
【０００５】
しかしながら、上記の従来技術では、ユーザビリティが低下する場合があった。具体的には、壁紙画像内の領域を操作キーとして設定する従来技術では、ユーザが各領域と操作キーとの対応関係を記憶しておく必要があるため、操作誤りが発生することが考えられる。このため、かかる従来技術では、壁紙画像が隠れることを防止することで、ユーザビリティの低下を招いていた。
【０００６】
本願は、上記に鑑みてなされたものであって、ユーザビリティを低下させることなく、壁紙画像が隠れることを防止することができる表示処理装置、表示処理方法及び表示処理プログラムを提供することを目的とする。
【課題を解決するための手段】
【０００７】
本願に係る表示処理装置は、所定の表示部に第１画像を表示する第１表示手段と、前記第１表示手段によって表示された第１画像上の任意の位置を指定する指定操作を受け付ける受付手段と、前記受付手段によって指定操作が受け付けられた場合に、前記第１画像よりも小さく当該第１画像に関連する第２画像を前記第１画像上における前記任意の位置に表示するとともに、所定のアプリケーションを起動するためのアイコンを前記第１画像上に表示する第２表示手段とを備えることを特徴とする。
【発明の効果】
【０００８】
実施形態の一態様によれば、ユーザビリティを低下させることなく、壁紙画像が隠れることを防止することができるという効果を奏する。
【図面の簡単な説明】
【０００９】
【図１】図１は、実施形態に係る表示処理の一例を示す説明図である。
【図２】図２は、実施形態に係る端末装置の構成例を示す図である。
【図３】図３は、実施形態に係る壁紙画像記憶部の一例を示す図である。
【図４】図４は、実施形態に係る関連情報記憶部の一例を示す図である。
【図５】図５は、実施形態に係る表示処理の一例を示す説明図である。
【図６】図６は、実施形態に係る端末装置による表示処理手順を示すフローチャートである。
【図７】図７は、実施形態に係る連続操作時における表示処理の一例を示す説明図である。
【図８】図８は、実施形態に係る連続操作時における表示処理の一例を示す説明図である。
【図９】図９は、実施形態に係る非表示処理の一例を示す説明図である。
【図１０】図１０は、実施形態に係る表示処理の一例を示す説明図である。
【図１１】図１１は、実施形態に係る連動表示処理の一例を示す説明図である。
【図１２】図１２は、実施形態に係る領域別表示処理の一例を示す説明図である。
【図１３】図１３は、実施形態に係る関連情報記憶部の一例を示す図である。
【図１４】図１４は、実施形態に係る関連情報記憶部の一例を示す図である。
【発明を実施するための形態】
【００１０】
以下に、本願に係る表示処理装置、表示処理方法及び表示処理プログラムを実施するための形態（以下、「実施形態」と呼ぶ）について図面を参照しつつ詳細に説明する。なお、この実施形態により本願に係る表示処理装置、表示処理方法及び表示処理プログラムが限定されるものではない。また、以下の各実施形態において同一の部位には同一の符号を付し、重複する説明は省略される。
【００１１】
〔１．表示処理〕
まず、図１を用いて、実施形態に係る表示処理の一例について説明する。図１は、実施形態に係る表示処理の一例を示す説明図である。図１の例では、端末装置１００によって表示処理が行われる。図１に示した端末装置１００は、例えば、スマートフォン等の携帯端末であり、表示部１１０を有する。端末装置１００にはタッチパネルが採用されており、表示部１１０は、各種情報を表示するだけでなく、指や専用ペン等によってタッチされることで各種操作を受け付ける。
【００１２】
ここで、端末装置１００は、ＯＳとして少なくともＡｎｄｒｏｉｄ（登録商標）２．１以上がインストールされており、ユーザに指定されたライブ壁紙を待ち受け画面として表示することができる。具体的には、実施形態に係る端末装置１００は、図１（ａ）に示すように、ライブ壁紙として壁紙画像Ｂ１１を表示部１１０に表示する。壁紙画像Ｂ１１は、ユーザによって選択された静止画像であり、例えば、所定の漫画やアニメに登場する戦闘機に該当する。なお、図１（ａ）に示した例では、戦闘機に符号「Ｂ１１」を付しているが、壁紙画像Ｂ１１は、表示部１１０全体に表示されている。
【００１３】
端末装置１００は、このような壁紙画像Ｂ１１に対して任意の位置を指定する指定操作を受け付ける。図１（ｂ）の例では、端末装置１００は、壁紙画像Ｂ１１上の任意の位置Ｐ１１をタップ（押下）する操作を受け付けたものとする。かかる場合に、端末装置１００は、図１（ｃ）に示すように、関連画像Ｇ１１を位置Ｐ１１に表示するとともに、所定のアプリケーション（以下、「アプリ」と略記する場合がある）を起動するためのアイコン画像Ｃ１１〜Ｃ１３を位置Ｐ１１に基づく近傍の位置に表示する。
【００１４】
このような関連画像Ｇ１１は、壁紙画像Ｂ１１よりも小さく、かつ、壁紙画像Ｂ１１に関連する静止画像又は動画像である。図１（ｃ）に示した関連画像Ｇ１１は、戦闘機の壁紙画像Ｂ１１に関連するものとして、戦闘機を防御するためのバリアを示している。すなわち、端末装置１００は、戦闘機の壁紙画像Ｂ１１がタップされた場合に、戦闘機を防御することを想起させるバリアの関連画像Ｇ１１を表示する。
【００１５】
また、アイコン画像Ｃ１１〜Ｃ１３は、各種アプリを起動させるためのショートカットアイコンに該当する。すなわち、端末装置１００のユーザは、壁紙画像Ｂ１１が表示されている状態において、任意の位置をタップすることで、ショートカットアイコンを表示させ、所望のアプリを起動させることができる。なお、以下の説明において、アイコン画像Ｃ１１がウェブサイトのリンク集を表示するアプリを起動させるショートカットであり、アイコン画像Ｃ１２が検索サイトにアクセスするアプリを起動させるショートカットであり、アイコン画像Ｃ１３が壁紙画像を設定するアプリを起動させるショートカットであるものとする。
【００１６】
続いて、端末装置１００は、関連画像Ｇ１１及びアイコン画像Ｃ１１〜Ｃ１３を表示してから所定の時間が経過した場合に、関連画像Ｇ１１及びアイコン画像Ｃ１１〜Ｃ１３を非表示にする。具体的には、図１（ｄ）に示すように、端末装置１００は、所定の時間（例えば、１秒〜５秒）が経過した場合に、関連画像Ｇ１１を非表示にする。また、図１（ｄ）から図１（ａ）への画面遷移に示すように、端末装置１００は、更に所定の時間（例えば、１秒〜５秒）が経過した場合に、アイコン画像Ｃ１１〜Ｃ１３を非表示にする。
【００１７】
このように、実施形態に係る端末装置１００は、壁紙画像Ｂ１１がタップされた場合に、タップされた位置の近傍にアイコン画像Ｃ１１〜Ｃ１３を表示するので、壁紙画像Ｂ１１が隠れる範囲を最低限に抑えることができる。また、端末装置１００は、壁紙画像Ｂ１１がタップされた場合に、壁紙画像Ｂ１１に関連する関連画像Ｇ１１を表示するので、壁紙画像Ｂ１１の世界観を維持することができる。すなわち、端末装置１００は、壁紙画像Ｂ１１が隠れたというイメージをユーザに与えることなく、関連画像Ｇ１１を表示することができる。また、端末装置１００は、アイコン画像Ｃ１１〜Ｃ１３を表示することで、ユーザに起動可能なアプリを認識させることができるので、ユーザビリティが低下することを防止できる。また、端末装置１００は、所定の時間が経過した場合に、関連画像Ｇ１１及びアイコン画像Ｃ１１〜Ｃ１３を非表示にするので、壁紙画像Ｂ１１が隠れる時間を最低限に抑えることができる。
【００１８】
以上のことから、実施形態に係る端末装置１００は、ユーザビリティを低下させることなく、壁紙画像が隠れることを防止することができる。以下、このような表示処理を行う端末装置１００について詳細に説明する。
【００１９】
〔２．端末装置の構成〕
次に、図２を用いて、実施形態に係る端末装置１００の構成について説明する。図２は、実施形態に係る端末装置１００の構成例を示す図である。端末装置１００は、ライブ壁紙を表示可能な表示処理装置であり、図２に示すように、表示部１１０と、入力部１２０と、記憶部１３０と、制御部１４０とを有する。
【００２０】
（表示部１１０、入力部１２０について）
表示部１１０は、各種情報を表示するための表示デバイスである。例えば、表示部１１０は、液晶ディスプレイ等によって実現される。入力部１２０は、ユーザから各種操作を受け付ける入力デバイスである。なお、実施形態に係る端末装置１００にはタッチパネルが採用されているので、表示部１１０と入力部１２０とは一体化される。
【００２１】
（記憶部１３０について）
記憶部１３０は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１３０は、壁紙画像記憶部１３１と、関連情報記憶部１３２とを有する。
【００２２】
（壁紙画像記憶部１３１について）
壁紙画像記憶部１３１は、表示部１１０に表示される壁紙画像を記憶する。ここで、図３に、実施形態に係る壁紙画像記憶部１３１の一例を示す。図３に示すように、壁紙画像記憶部１３１は、「壁紙画像」、「ユーザ選択」といった項目を有する。
【００２３】
「壁紙画像」は、待ち受け状態において表示部１１０に表示される背景画像を示す。なお、「待ち受け状態」とは、表示部１１０全体に各種画面を表示するようなアプリが実行されていない状態を示し、壁紙画像が表示可能な状態に該当する。例えば、「待ち受け状態」とは、端末装置１００が起動した後の状態等に該当する。「ユーザ選択」は、ユーザによって表示対象の壁紙画像として選択されているか否かを示す。なお、図３の例において、「ユーザ選択」に記憶されている「選択」は、ユーザによって表示対象の壁紙画像として選択されていることを示し、「ユーザ選択」に記憶されている「非選択」は、ユーザによって表示対象の壁紙画像として選択されていないことを示す。
【００２４】
例えば、図３では、ファイル名「Ｂ１１．ｇｉｆ」、「Ｂ１２．ｇｉｆ」及び「Ｂ１３．ｇｉｆ」の壁紙画像のうち、「Ｂ１１．ｇｉｆ」が表示対象の壁紙画像として選択されていることを示している。この場合、端末装置１００は、「Ｂ１１．ｇｉｆ」を壁紙画像として表示することとなる。なお、図３に示した「Ｂ１１．ｇｉｆ」は、図１に示した壁紙画像Ｂ１１に該当する。
【００２５】
（関連情報記憶部１３２について）
関連情報記憶部１３２は、表示部１１０に表示される関連画像やアイコン画像を記憶する。ここで、図４に、実施形態に係る関連情報記憶部１３２の一例を示す。図４に示すように、関連情報記憶部１３２は、「関連画像」、「アイコン画像」といった項目を有する。
【００２６】
「関連画像」は、壁紙画像に関連する画像を示す。例えば、「関連画像」は、壁紙画像を想起させる画像であって、かかる壁紙画像の一部分である部分画像としての役割を担う。「アイコン画像」は、「関連画像」とともに表示される画像であり、各種アプリを起動させるためのショートカットアイコンに該当する。
【００２７】
なお、図４に示した「Ｇ１１．ｇｉｆ」は、図３に示した壁紙画像記憶部１３１に記憶されている全ての壁紙画像（「Ｂ１１．ｇｉｆ」、「Ｂ１２．ｇｉｆ」、「Ｂ１３．ｇｉｆ」）に関連するものとする。
【００２８】
また、図４に示した「Ｇ１１．ｇｉｆ」は、図１に示した関連画像Ｇ１１に該当する。また、図４に示した「Ｃ１１．ｇｉｆ」は、図１に示したアイコン画像Ｃ１１に該当し、「Ｃ１２．ｇｉｆ」はアイコン画像Ｃ１２に該当し、「Ｃ１３．ｇｉｆ」はアイコン画像Ｃ１３に該当する。
【００２９】
（制御部１４０について）
制御部１４０は、例えば、ＣＰＵ（Central  Processing  Unit）やＭＰＵ（Micro  Processing  Unit）等によって、記憶部１３０等の記憶装置に記憶されている各種プログラム（すなわち、各種アプリケーション）がＲＡＭを作業領域として実行されることにより実現される。また、制御部１４０は、例えば、ＡＳＩＣ（Application  Specific  Integrated  Circuit）やＦＰＧＡ（Field  Programmable  Gate  Array）等の集積回路により実現される。
【００３０】
かかる制御部１４０は、図２に示すように、リンクアプリ制御部１５１と、検索アプリ制御部１５２と、設定アプリ制御部１５３と、壁紙アプリ制御部１６０とを有する。リンクアプリ制御部１５１は、ウェブサイトのリンク集を表示するアプリを実行制御する。検索アプリ制御部１５２は、検索サイトにアクセスするアプリを実行制御する。設定アプリ制御部１５３は、壁紙画像に関する設定を受け付けるアプリを実行制御する。
【００３１】
なお、制御部１４０は、図２に示したリンクアプリ制御部１５１等のアプリ制御部に限られず、端末装置１００にインストールされているアプリ毎に、かかるアプリを実行制御するアプリ制御部を有する。例えば、制御部１４０は、天気予報サイトにアクセスするアプリを実行制御するアプリ制御部や、オークションサイトにアクセスするアプリを実行制御するアプリ制御部などを有してもよい。
【００３２】
また、壁紙アプリ制御部１６０は、図１を用いて説明した表示処理を実現するためのライブ壁紙アプリケーション（表示処理プログラムの一例に相当）を実行制御する。かかる壁紙アプリ制御部１６０は、図２に示すように、壁紙表示部１６１と、受付部１６２と、関連表示部１６３と、起動指示部１６４とを有し、以下に説明する情報処理の機能や作用を実現または実行する。なお、壁紙アプリ制御部１６０の内部構成は、図２に示した構成に限られず、後述する情報処理を行う構成であれば他の構成であってもよい。
【００３３】
（壁紙表示部１６１について）
壁紙表示部１６１は、壁紙画像を表示部１１０に表示する。具体的には、壁紙表示部１６１は、端末装置１００の起動時や、端末装置１００が待ち受け状態である場合に、壁紙画像記憶部１３１に記憶されている壁紙画像のうち、ユーザによって表示対象として選択されている壁紙画像を表示部１１０に表示する。例えば、壁紙画像記憶部１３１が図３に示す状態である場合、壁紙表示部１６１は、壁紙画像「Ｂ１１．ｇｉｆ」（すわなち、壁紙画像Ｂ１１）を表示部１１０に表示する。
【００３４】
（受付部１６２について）
受付部１６２は、入力部１２０を介して、ユーザから各種操作を受け付ける。具体的には、実施形態に係る受付部１６２は、壁紙表示部１６１によって表示されている壁紙画像上の任意の位置を指定する指定操作を受け付ける。例えば、図１（ｂ）に示した例では、受付部１６２は、壁紙画像Ｂ１１上の位置Ｐ１１を指定する指定操作を受け付ける。
【００３５】
（関連表示部１６３について）
関連表示部１６３は、関連画像やアイコン画像を壁紙画像上に表示する。具体的には、関連表示部１６３は、受付部１６２によって壁紙画像上の任意の位置を指定する指定操作が受け付けられた場合に、関連情報記憶部１３２から関連画像及びアイコン画像を取得する。そして、関連表示部１６３は、受付部１６２によって受け付けられた任意の位置に関連画像を表示するとともに、かかる任意の位置に基づく位置にアイコン画像を表示する。
【００３６】
なお、「任意の位置に基づく位置」とは、ユーザに指定された画面上の任意の位置を基準に、予め設定された方向、距離の位置であり、任意の位置に対応して決まる位置である。例えば、「任意の位置に基づく位置」は、任意の位置の近傍を示し、関連画像が表示されている位置等を示す。このとき、関連表示部１６３は、関連画像が表示されている位置にアイコン画像を表示する場合には、関連画像上にアイコン画像を表示する。
【００３７】
図１に示した例を用いて説明すると、受付部１６２は、壁紙画像Ｂ１１上の位置Ｐ１１を指定する指定操作を受け付ける。この場合、関連表示部１６３は、関連情報記憶部１３２から取得した関連画像Ｇ１１を位置Ｐ１１に表示する。例えば、関連表示部１６３は、関連画像Ｇ１１の中心と位置Ｐ１１とが一致するように、関連画像Ｇ１１を壁紙画像Ｂ１１上に表示する。また、関連表示部１６３は、関連情報記憶部１３２から取得したアイコン画像Ｃ１１〜Ｃ１３を位置Ｐ１１に基づく近傍の位置に表示する。
【００３８】
また、関連表示部１６３は、関連画像及びアイコン画像を表示してから所定の時間が経過した場合に、関連画像及びアイコン画像を非表示にする。具体的には、関連表示部１６３は、関連画像を表示してから第１の時間（例えば、１秒〜５秒）が経過した場合に、かかる関連画像を非表示にする。また、関連表示部１６３は、アイコン画像を表示してから第１の時間よりも長い第２の時間（例えば、２秒〜１０秒）が経過した場合に、かかるアイコン画像を非表示にする。関連画像を非表示するための第１の時間と、アイコン画像を非表示にするための第２の時間は、予め個別に設定されている。
【００３９】
図１に示した例を用いて説明すると、関連表示部１６３は、図１（ｄ）に示すように、関連画像Ｇ１１及びアイコン画像Ｃ１１〜Ｃ１３を表示してから第１の時間が経過した場合に、関連画像Ｇ１１を非表示にする。また、関連表示部１６３は、図１（ｄ）から図１（ａ）への画面遷移に示すように、関連画像Ｇ１１及びアイコン画像Ｃ１１〜Ｃ１３を表示してから第２の時間が経過した場合に、アイコン画像Ｃ１１〜Ｃ１３を非表示にする。
【００４０】
（起動指示部１６４について）
起動指示部１６４は、表示中のアイコン画像が指定された場合に、かかるアイコン画像に対応するアプリケーションを起動するようリンクアプリ制御部１５１等に指示する。例えば、図１に示した例において、ウェブサイトのリンク集を表示するアプリへのショートカットであるアイコン画像Ｃ１１がタップされたものとする。かかる場合に、起動指示部１６４は、リンクアプリ制御部１５１に対して、ウェブサイトのリンク集を表示するアプリを起動するよう指示する。同様に、起動指示部１６４は、アイコン画像Ｃ１２がタップされた場合には、検索アプリ制御部１５２に対して、検索サイトにアクセスするアプリを起動するよう指示する。また、起動指示部１６４は、アイコン画像Ｃ１３がタップされた場合には、設定アプリ制御部１５３に対して、壁紙画像を設定するアプリを起動するよう指示する。
【００４１】
〔３．他の表示例〕
上記では、図１に示した表示態様を用いながら端末装置１００による表示処理について説明した。しかし、この例に限られず、端末装置１００は、他の表示処理を行うこともできる。この点について、図５を用いて説明する。図５は、実施形態に係る表示処理の一例を示す説明図である。
【００４２】
図５に示した端末装置１００は、各種アイコン画像を表示する位置が予め決められているものとする。例えば、端末装置１００は、図５（ｃ）に示すように、表示部１１０の下部にアイコン画像Ｃ２１〜Ｃ２５を整列して表示することが決められているものとする。このようなアイコン画像Ｃ２１〜Ｃ２５の表示位置は、ユーザによって予め決められている。
【００４３】
このような前提の下、端末装置１００の壁紙表示部１６１は、待ち受け状態である場合には、図５（ａ）に示すように、アイコン画像Ｃ２１〜Ｃ２５を表示することなく、壁紙画像Ｂ１１を表示する。この状態において、受付部１６２は、壁紙画像Ｂ１１上の位置Ｐ１１を指定する指定操作を受け付けたものとする。かかる場合に、関連表示部１６３は、図５（ｂ）及び（ｃ）に示すように、指定操作において指定された位置Ｐ１１に関連画像Ｇ１１を表示するとともに、位置Ｐ１１に関係なく予め決められている位置にアイコン画像Ｃ２１〜Ｃ２５を表示する。
【００４４】
そして、関連表示部１６３は、図５（ｄ）に示すように、関連画像Ｇ１１を表示してから第１の時間が経過した場合には、関連画像Ｇ１１を非表示にする。また、関連表示部１６３は、図５（ｄ）から図５（ａ）への画面遷移に示すように、アイコン画像Ｃ２１〜Ｃ２５を表示してから第２の時間が経過した場合に、アイコン画像Ｃ２１〜Ｃ２５を非表示にする。
【００４５】
このように、実施形態に係る端末装置１００は、待ち受け画面に表示される各種アイコン画像についても、壁紙画像がタップされた場合に一定時間だけ表示するようにしてもよい。これにより、端末装置１００は、各種アイコン画像によって壁紙画像が隠れる時間を最低限に抑えることができる。
【００４６】
なお、図５の例の場合、図４に示した関連情報記憶部１３２には、アイコン画像毎に、かかるアイコン画像の表示位置（例えば、表示部１１０上の座標）が記憶されているものとする。そして、関連表示部１６３は、関連情報記憶部１３２に記憶されている表示位置を参照することにより、各種アイコン画像を予め決められている位置に表示する。
【００４７】
〔４．表示処理手順〕
次に、図６を用いて、実施形態に係る端末装置１００による表示処理の手順について説明する。図６は、実施形態に係る端末装置１００による表示処理手順を示すフローチャートである。
【００４８】
図６に示すように、端末装置１００の壁紙表示部１６１は、待ち受け状態であるか否かを判定する（ステップＳ１０１）。そして、壁紙表示部１６１は、待ち受け状態である場合には（ステップＳ１０１；Ｙｅｓ）、壁紙画像記憶部１３１に記憶されている壁紙画像を表示部１１０に表示する（ステップＳ１０２）。
【００４９】
続いて、受付部１６２は、壁紙表示部１６１によって表示された壁紙画像上の任意の位置を指定する指定操作を受け付けたか否かを判定する（ステップＳ１０３）。このとき、受付部１６２は、指定操作を受け付けていない場合には（ステップＳ１０３；Ｎｏ）、指定操作が行われるまで待機する。
【００５０】
一方、関連表示部１６３は、受付部１６２によって指定操作が受け付けられた場合に（ステップＳ１０３；Ｙｅｓ）、関連情報記憶部１３２に記憶されている関連画像及びアイコン画像を表示部１１０に表示する（ステップＳ１０４）。
【００５１】
例えば、図１に示した例の場合、関連表示部１６３は、指定された位置Ｐ１１に関連画像Ｇ１１を表示するとともに、位置Ｐ１１に基づく近傍の位置にアイコン画像Ｃ１１〜Ｃ１３を表示する。また、例えば、図５に示した例の場合、関連表示部１６３は、指定された位置Ｐ１１に関連画像Ｇ１１を表示するとともに、位置Ｐ１１と関係なく予め決められている位置にアイコン画像Ｃ２１〜Ｃ２５を表示する。
【００５２】
続いて、関連表示部１６３は、ステップＳ１０４の後に第１の時間が経過したか否かを判定する（ステップＳ１０５）。このとき、関連表示部１６３は、第１の時間が経過していない場合には（ステップＳ１０５；Ｎｏ）、第１の時間が経過するまで待機する。一方、関連表示部１６３は、第１の時間が経過した場合には（ステップＳ１０５；Ｙｅｓ）、ステップＳ１０４において表示した関連画像を非表示にする（ステップＳ１０６）。
【００５３】
続いて、関連表示部１６３は、ステップＳ１０４の後に第１の時間よりも長い第２の時間が経過したか否かを判定する（ステップＳ１０７）。このとき、関連表示部１６３は、第２の時間が経過していない場合には（ステップＳ１０７；Ｎｏ）、第２の時間が経過するまで待機する。一方、関連表示部１６３は、第２の時間が経過した場合には（ステップＳ１０７；Ｙｅｓ）、ステップＳ１０４において表示したアイコン画像を非表示にする（ステップＳ１０８）。
【００５４】
〔５．変形例〕
上述した実施形態に係る端末装置１００は、上記実施形態以外にも種々の異なる形態にて実施されてよい。そこで、以下では、上記の端末装置１００の他の実施形態について説明する。
【００５５】
〔５−１．連続操作〕
上記実施形態において、端末装置１００は、短時間に連続して壁紙画像上の任意の位置を指定する操作を受け付けてもよい。具体的には、端末装置１００は、上述した第１の時間や第２の時間が経過する前に、新たな任意の位置を指定する指定操作を受け付けてもよい。以下に、図７及び図８を用いて、短時間に連続して指定操作を受け付けた場合における端末装置１００による表示処理について説明する。図７及び図８は、実施形態に係る連続操作時における表示処理の一例を示す説明図である。
【００５６】
まず、図７の例について説明する。図７（ａ）に示した例では、端末装置１００は、関連画像Ｇ１１及びアイコン画像Ｃ１１〜Ｃ１３を壁紙画像Ｂ１１上に表示している。ここで、受付部１６２は、関連画像Ｇ１１及びアイコン画像Ｃ１１〜Ｃ１３が表示されてから第１の時間が経過する前に、壁紙画像Ｂ１１上の位置Ｐ１２を指定する新たな指定操作を受け付けたものとする。
【００５７】
かかる場合に、関連表示部１６３は、図７（ｂ）に示すように、図７（ａ）において表示済みの関連画像Ｇ１１を表示したまま、位置Ｐ１２に関連画像Ｇ１１を新たに表示する。一方、関連表示部１６３は、図７（ａ）において表示済みのアイコン画像Ｃ１１〜Ｃ１３については非表示にし、位置Ｐ１２に基づく近傍の位置にアイコン画像Ｃ１１〜Ｃ１３を新たに表示する。
【００５８】
そして、関連表示部１６３は、図７（ｃ）に示すように、図７（ａ）において関連画像Ｇ１１を表示してから第１の時間が経過した場合には、かかる関連画像Ｇ１１を非表示にする。また、関連表示部１６３は、図７（ｄ）に示すように、図７（ｂ）において関連画像Ｇ１１を表示してから第１の時間が経過した場合には、かかる関連画像Ｇ１１を非表示にする。また、ここでは図示することを省略するが、関連表示部１６３は、図７（ｂ）においてアイコン画像Ｃ１１〜Ｃ１３を表示してから第２の時間が経過した場合には、かかるアイコン画像Ｃ１１〜Ｃ１３を非表示にする。
【００５９】
続いて、図８の例について説明する。図８（ａ）の表示態様は、図７（ｄ）の表示態様と同様である。すなわち、端末装置１００は、アイコン画像Ｃ１１〜Ｃ１３を壁紙画像Ｂ１１上に表示している。この状態において、受付部１６２は、アイコン画像Ｃ１１〜Ｃ１３が表示されてから第２の時間が経過する前に、壁紙画像Ｂ１１上の位置Ｐ１３を指定する新たな指定操作を受け付けたものとする。
【００６０】
かかる場合に、関連表示部１６３は、図８（ｂ）に示すように、図８（ａ）において表示済みのアイコン画像Ｃ１１〜Ｃ１３を非表示にし、新たに指定された位置Ｐ１３に関連画像Ｇ１１を表示するとともに、位置Ｐ１３に基づく近傍の位置にアイコン画像Ｃ１１〜Ｃ１３を新たに表示する。
【００６１】
このように、端末装置１００は、関連画像が表示されている状態で新たな指定操作を受け付けた場合であっても、表示済みの関連画像を非表示にすることなく、新たな関連画像を表示する。これにより、端末装置１００は、壁紙画像としての役割も担う関連画像についてはユーザ操作に従って順次表示することにより、ゲーム性を有する壁紙表示を実現することができる。
【００６２】
また、端末装置１００は、アイコン画像が表示されている状態で新たな指定操作を受け付けた場合には、表示済みのアイコン画像を非表示にした上で、新たなアイコン画像を表示する。これにより、端末装置１００は、ユーザが最後にタップした位置のみにアイコン画像を表示するので、壁紙画像が隠れる範囲を最低限に抑えることができる。また、端末装置１００は、操作後の指の近傍のみにアイコン画像を表示することができるので、ユーザビリティを向上させることができる。
【００６３】
なお、図７及び図８では、図１の表示態様を例に挙げて、連続操作時における表示処理について説明した。しかし、端末装置１００は、図５に示したように、予め決められている位置にアイコン画像を表示する場合であっても、図７及び図８を用いて説明した表示処理を行うことができる。
【００６４】
〔５−２．非表示演出〕
また、上記実施形態において、端末装置１００は、関連画像やアイコン画像を非表示にする際に、壁紙画像に関連する演出で非表示にしてもよい。この点について図９を用いて説明する。図９は、実施形態に係る非表示処理の一例を示す説明図である。
【００６５】
図９（ａ）に示した例では、端末装置１００は、関連画像Ｇ１１及びアイコン画像Ｃ１１〜Ｃ１３を壁紙画像Ｂ１１上に表示している。ここで、関連表示部１６３は、図９（ａ）に示すように、バリアを示す関連画像Ｇ１１を表示した際に、バリアの有効期間を想起させる演出として、関連画像Ｇ１１が非表示になるまでの残り時間（すなわち、第１の時間）Ｔ１１を表示する。ここの例では、第１の時間が「５秒」である例を示しており、関連表示部１６３は、残り時間Ｔ１１として、「０：００：０５」を表示する。
【００６６】
そして、関連表示部１６３は、所定の時間（例えば、１秒）が経過するたびに、残り時間Ｔ１１を減算する。すなわち、関連表示部１６３は、カウントダウン形式の演出により、関連画像Ｇ１１が非表示となるまでの残り時間を表示部１１０に表示する。そして、関連表示部１６３は、図９（ｂ）に示すように、残り時間Ｔ１１が「０：００：００」となった場合に、関連画像Ｇ１１を非表示にする。なお、ここで表示される残り時間Ｔ１１の表示が「０：００：０５」であったとしても、第１の時間が「５秒」である必要はなく、例えば、「３秒」でＴ１１の表示が「０：００：００」となっても良い。
【００６７】
この後に、関連表示部１６３は、図９（ｃ）に示すように、アイコン画像Ｃ１１〜Ｃ１３を表示してから第２の時間が経過した時点で、アイコン画像Ｃ１１〜Ｃ１３が非表示となることを想起させる演出画像Ａ１１〜Ａ１３を表示する。ここの例では、関連表示部１６３は、戦闘機によってアイコン画像Ｃ１１〜Ｃ１３が攻撃された演出として、炎を示す演出画像Ａ１１〜Ａ１３のそれぞれをアイコン画像Ｃ１１〜Ｃ１３上に表示する。そして、関連表示部１６３は、図９（ｄ）に示すように、演出画像Ａ１１〜Ａ１３とともにアイコン画像Ｃ１１〜Ｃ１３を非表示にする。なお、演出画像Ａ１１〜Ａ１３は、静止画像又は動画像である。
【００６８】
このように、端末装置１００は、壁紙画像に関連する演出とともに関連画像やアイコン画像を非表示にすることで、関連画像やアイコン画像が表示されてから非表示になるまで壁紙画像の世界観を維持することができる。すなわち、端末装置１００は、壁紙画像が隠れたというイメージをユーザに与えることなく、関連画像やアイコン画像を表示することができる。
【００６９】
なお、図９では、図１の表示態様を例に挙げて、演出による非表示処理について説明した。しかし、端末装置１００は、図５に示したように、予め決められている位置にアイコン画像を表示する場合であっても、図９を用いて説明した演出による非表示処理を行うことができる。
【００７０】
〔５−３．表示演出〕
また、端末装置１００は、図５の例のように、各種アイコン画像を予め決められている位置に表示する場合には、指定操作において指定された位置から予め決められている位置まで各種アイコン画像を移動させてもよい。この点について図１０を用いて説明する。図１０は、実施形態に係る表示処理の一例を示す説明図である。
【００７１】
図１０（ａ）に示した例では、受付部１６２は、壁紙画像Ｂ１１上の位置Ｐ１４を指定する操作を受け付ける。かかる場合に、関連表示部１６３は、図１０（ｂ）に示すように、位置Ｐ１４に関連画像Ｇ１１を表示する。また、関連表示部１６３は、図１０（ｂ）及び（ｃ）に示すように、アイコン画像Ｃ２１〜Ｃ２５を位置Ｐ１４から予め決められている表示位置まで移動させることで、それぞれの位置にアイコン画像Ｃ２１〜Ｃ２５を表示する。
【００７２】
このとき、関連表示部１６３は、壁紙画像Ｂ１１に関連する演出によってアイコン画像Ｃ２１〜Ｃ２５を移動させてもよい。例えば、関連表示部１６３は、漫画やアニメの世界で存在する戦闘機が発射するビームやミサイル等のように、アイコン画像Ｃ２１〜Ｃ２５を移動させてもよい。または、関連表示部１６３は、戦闘機から人が脱出するように、アイコン画像Ｃ２１〜Ｃ２５を移動させてもよい。
【００７３】
また、関連表示部１６３は、アイコン画像Ｃ２１〜Ｃ２５の全てが同時に各表示位置に到達するように、各アイコン画像の移動速度や移動軌跡を算出してもよい。例えば、関連表示部１６３は、位置Ｐ１４から表示位置までの距離が遠いアイコン画像ほど速い速度で移動させ、位置Ｐ１４から表示位置までの距離が近いアイコン画像ほど遅い速度で移動させる。また、例えば、関連表示部１６３は、位置Ｐ１４から表示位置までの距離が遠いアイコン画像については、位置Ｐ１４と表示位置とを直線で結ぶ軌跡により移動させ、位置Ｐ１４から表示位置までの距離が近いアイコン画像については、位置Ｐ１４と表示位置とを曲線で結ぶ軌跡により移動させる。
【００７４】
このように、端末装置１００は、タップされた位置から予め決められている位置にアイコン画像を移動させることで、指定された位置毎に異なる演出でアイコン画像を表示することができるので、ゲーム性を有するアイコン画像の表示を実現することができる。
【００７５】
〔５−４．他アプリへの連動〕
また、上記実施形態において、端末装置１００は、アイコン画像がタップされることでアプリが起動された場合に、かかるアプリが起動された後の画面に壁紙画像に関連する情報又は画像を表示してもよい。この点について図１１を用いて説明する。図１１は、実施形態に係る連動表示処理の一例を示す説明図である。
【００７６】
図１１（ａ）の表示態様は、図１（ｄ）の表示態様と同様である。すなわち、端末装置１００は、アイコン画像Ｃ１１〜Ｃ１３を壁紙画像Ｂ１１上に表示している。この状態において、検索サイトにアクセスするアプリを起動させるショートカットであるアイコン画像Ｃ１２がタップされたものとする。かかる場合に、起動指示部１６４は、検索アプリ制御部１５２に対して、検索サイトにアクセスするアプリを起動するよう指示する。このとき、起動指示部１６４は、壁紙画像Ｂ１１に関する壁紙情報（例えば、戦闘機であることを示す情報）を検索アプリ制御部１５２に通知する。
【００７７】
続いて、検索アプリ制御部１５２は、図１１（ｂ）に示すように、起動指示部１６４から起動指示を受け付けることで、検索アプリを起動することで検索入力画面を表示する。ここの例では、検索入力画面において、検索キー「スマートフォン」が入力され、ウェブ検索がタップされたものとする。この場合、検索アプリ制御部１５２は、図１１（ｃ）に示すように、検索結果を表示する。このとき、検索アプリ制御部１５２は、起動指示部１６４から通知された壁紙情報に基づいて、検索結果の背景に、壁紙画像Ｂ１１に関連する演出画像Ａ２１及びＡ２２を表示する。ここの例では、壁紙画像Ｂ１１に関する関連情報が戦闘機を示すので、検索アプリ制御部１５２は、戦闘機を示す演出画像Ａ２１及びＡ２２を表示する。例えば、端末装置１００が壁紙画像毎に演出画像Ａ２１等のテンプレートを予め保持しており、検索アプリ制御部１５２は、壁紙情報に対応するテンプレートを表示する。なお、演出画像Ａ２１等のテンプレートは、ウェブ検索結果と共に検索アプリ制御１５２等が受信してもよく、演出画像Ａ２１及びＡ２２を表示する処理は、検索アプリ制御部１５２が行わずに、壁紙アプリ制御部１６０が行ってもよい。
【００７８】
このように、端末装置１００は、アイコン画像を介してアプリが起動された後にも壁紙画像の世界観を維持することができる。すなわち、端末装置１００は、ユーザの嗜好性が高い世界観を各種アプリに反映させることができるので、ユーザ満足度を向上させることができる。
【００７９】
なお、図１１では、図１の表示態様を例に挙げて、連動表示処理について説明した。しかし、端末装置１００は、図５に示したように、予め決められている位置にアイコン画像を表示する場合であっても、図１１を用いて説明した連動表示処理を行うことができる。
【００８０】
〔５−５．領域別表示〕
また、上記実施形態において、端末装置１００は、ユーザに指定された壁紙画像上の位置に応じて、異なる関連画像やアイコン画像を表示してもよい。この点について図１２及び図１３を用いて説明する。図１２は、実施形態に係る領域別表示処理の一例を示す説明図である。図１３は、実施形態に係る関連情報記憶部１３２の一例を示す図である。
【００８１】
図１２に示すように、壁紙アプリ制御部１６０は、表示部１１０に壁紙画像が表示される領域を所定の領域毎に区切る。図１２の例では、壁紙アプリ制御部１６０は、表示部１１０の表示領域を領域Ｒ１１〜Ｒ１６に区切る。
【００８２】
また、ここの例では、端末装置１００は、図１３に示した関連情報記憶部１３２を有する。図１３に示した関連情報記憶部１３２は、「関連画像」及び「アイコン画像」の他に、「表示領域」といった項目を有する。「表示領域」は、壁紙アプリ制御部１６０に区切られた表示部１１０の領域を示す。図１３の「表示領域」には、図１２において各領域に付した符号が記憶されるものとする。
【００８３】
例えば、関連情報記憶部１３２が図１３に示した状態であり、受付部１６２が、表示領域Ｒ１１、Ｒ１５又はＲ１６内の位置を指定する指定操作を受け付けたものとする。かかる場合に、関連表示部１６３は、図１３に示した関連情報記憶部１３２を参照することにより、関連画像「Ｇ１２．ｇｉｆ」及びアイコン画像「Ｃ１４．ｇｉｆ」、「Ｃ１５．ｇｉｆ」及び「Ｃ１６．ｇｉｆ」を壁紙画像上に表示する。
【００８４】
また、受付部１６２が、表示領域Ｒ１２、Ｒ１３又はＲ１４内の位置を指定する指定操作を受け付けたものとする。かかる場合に、関連表示部１６３は、図１３に示した関連情報記憶部１３２を参照することにより、関連画像「Ｇ１１．ｇｉｆ」及びアイコン画像「Ｃ１１．ｇｉｆ」、「Ｃ１２．ｇｉｆ」及び「Ｃ１３．ｇｉｆ」を壁紙画像上に表示する。
【００８５】
このように、端末装置１００は、ユーザに指定された壁紙画像上の位置に応じて、異なる関連画像やアイコン画像を表示することで、指定された位置に対応する関連画像等を表示することができるので、壁紙画像の世界観をより維持することができる。例えば、図１２に示した例において、関連表示部１６３は、戦闘機が存在する領域をタップされた場合には、バリアを示す関連画像を表示し、戦闘機が存在しない領域をタップされた場合には、「ハズレ」といった関連画像を表示することで、壁紙画像の世界観をより維持することが可能となる。
【００８６】
なお、関連表示部１６３は、図９に示した非表示処理を行う場合に、関連画像やアイコン画像が表示されている位置に応じて、関連画像やアイコン画像を非表示にする演出を変動させてもよい。例えば、関連表示部１６３は、戦闘機の近傍にアイコン画像が表示されている場合には、図９の例のように炎の演出でアイコン画像を非表示にし、戦闘機から離れた位置にアイコン画像が表示されている場合には、アイコン画像を戦闘機から画面外に移動させることで非表示にしてもよい。この例においても、端末装置１００は、壁紙画像の世界観をより維持することができる。
【００８７】
〔５−６．壁紙画像毎の関連画像〕
また、上記実施形態では、関連情報記憶部１３２に１組の関連画像及びアイコン画像が記憶されており、端末装置１００が、かかる関連画像及びアイコン画像を固定的に表示する例を示した。しかし、端末装置１００は、表示部１１０に表示されている壁紙画像に応じて、表示対象の関連画像やアイコン画像を変動させてもよい。また、端末装置１００は、複数のアイコン画像のうち、ユーザによって予め選択されたアイコン画像を表示してもよい。この場合、端末装置１００は、図１４に示した関連情報記憶部１３２を有する。
【００８８】
図１４に示した関連情報記憶部１３２は、「関連画像」及び「アイコン画像」の他に、「壁紙画像」、「ユーザ選択」といった項目を有する。「壁紙画像」は、壁紙画像記憶部１３１に記憶されている壁紙画像に対応する。「ユーザ選択」は、ユーザによって表示対象のアイコン画像として選択されているか否かを示す。
【００８９】
例えば、関連情報記憶部１３２が図１４に示した状態であるものとする。また、壁紙表示部１６１が壁紙画像「Ｂ１１．ｇｉｆ」を表示部１１０に表示し、受付部１６２が壁紙画像「Ｂ１１．ｇｉｆ」上の位置を指定する指定操作を受け付けたものとする。かかる場合に、関連表示部１６３は、図１４に示した関連情報記憶部１３２から、壁紙画像「Ｂ１１．ｇｉｆ」に対応する関連画像「Ｇ１１．ｇｉｆ」を取得する。また、関連表示部１６３は、図１４に示した関連情報記憶部１３２から、壁紙画像「Ｂ１１．ｇｉｆ」に対応し、かつ、ユーザによって選択されているアイコン画像「Ｃ１１．ｇｉｆ」、「Ｃ１２．ｇｉｆ」及び「Ｃ１４．ｇｉｆ」を取得する。そして、関連表示部１６３は、関連画像「Ｇ１１．ｇｉｆ」及びアイコン画像「Ｃ１１．ｇｉｆ」、「Ｃ１２．ｇｉｆ」及び「Ｃ１４．ｇｉｆ」を壁紙画像「Ｂ１１．ｇｉｆ」上に表示する。
【００９０】
また、上記例において、壁紙表示部１６１が壁紙画像「Ｂ１２．ｇｉｆ」を表示部１１０に表示し、受付部１６２が壁紙画像「Ｂ１２．ｇｉｆ」上の位置を指定する指定操作を受け付けたものとする。この場合、関連表示部１６３は、図１４に示した関連情報記憶部１３２を参照することにより、関連画像「Ｇ１２．ｇｉｆ」及びアイコン画像「Ｃ１２．ｇｉｆ」及び「Ｃ１３．ｇｉｆ」を壁紙画像「Ｂ１２．ｇｉｆ」上に表示する。
【００９１】
〔５−７．壁紙設定〕
また、端末装置１００は、ユーザ操作に従って、上述してきた各記憶部に記憶されている各種情報を更新することができる。具体的には、端末装置１００は、図３に示した壁紙画像記憶部１３１や、図４、図１３、図１４に示した関連情報記憶部１３２に記憶されている各種情報をユーザに設定させることができる。例えば、ユーザは、壁紙画像を設定するアプリへのショートカットであるアイコン画像Ｃ１３をタップすることにより、これらの各種情報を設定することができる。
【００９２】
〔５−８．その他〕
また、上記実施形態において、端末装置１００は、関連表示部１６３によって関連画像が表示される際に、かかる関連画像に関連する音を出力してもよい。
【００９３】
また、上記実施形態において、壁紙画像は、表示部１１０全体に表示される画像である必要はなく、表示部１１０の一部分に表示される画像であってもよい。
【００９４】
また、上記実施形態では、端末装置１００がスマートフォン等の携帯端末である場合を例に挙げて説明した。しかし、上記の端末装置１００は、各種情報を表示できる表示処理装置であれば、スマートフォン等の携帯端末以外にも適用することができる。例えば、端末装置１００は、タブレット型ＰＣ、ノート型ＰＣ、デスクトップ型ＰＣ、ＰＤＡ（Personal  Digital  Assistant）等であってもよい。また、端末装置１００は、デジタルサイネージや、デジタル放送対応のテレビであってもよい。なお、端末装置１００にタッチパネルが採用されていない場合には、受付部１６２は、マウスやリモコン等の入力部１２０を介して、壁紙画像上の任意の位置を指定する操作を受け付ける。
【００９５】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００９６】
例えば、各図に示した各種情報は、図示した情報に限られない。また、例えば、各図に示した関連画像Ｇ１１は、バリアを示す画像である必要はなく、例えば、煙幕を示す画像であってもよい。
【００９７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示した壁紙アプリ制御部１６０は、起動指示部１６４を有しなくてもよい。この場合、起動指示部１６４による処理は、ＯＳが実行してもよい。
【００９８】
〔６．効果〕
上述してきたように、実施形態に係る端末装置１００（表示処理装置の一例に相当）は、壁紙表示部１６１（第１表示部の一例に相当）と、受付部１６２と、関連表示部１６３（第２表示部の一例に相当）とを有する。壁紙表示部１６１は、表示部１１０に壁紙画像（第１画像の一例に相当）を表示する。受付部１６２は、壁紙表示部１６１によって表示された壁紙画像上の任意の位置を指定する指定操作を受け付ける。関連表示部１６３は、受付部１６２によって指定操作が受け付けられた場合に、壁紙画像よりも小さく壁紙画像に関連する関連画像（第２画像の一例に相当）を壁紙画像上における任意の位置に表示するとともに、所定のアプリケーションを起動するためのアイコン（アイコン画像の一例に相当）を壁紙画像上に表示する。
【００９９】
これにより、実施形態に係る端末装置１００は、壁紙画像がタップされた場合にアイコンを表示するので、極力長く壁紙画像を表示することができる。また、端末装置１００は、壁紙画像がタップされた場合に、壁紙画像に関連する関連画像を表示するので、壁紙画像の世界観を維持することができる。また、端末装置１００は、アイコンを表示することで、ユーザに起動可能なアプリを認識させることができるので、ユーザビリティが低下することを防止できる。以上のことから、実施形態に係る端末装置１００は、ユーザビリティを低下させることなく、壁紙画像が隠れることを防止することができる。
【０１００】
また、実施形態に係る端末装置１００において、関連表示部１６３は、関連画像及びアイコンを表示してから所定の時間が経過した場合に、関連画像及びアイコンを非表示にする。
【０１０１】
これにより、実施形態に係る端末装置１００は、壁紙画像が隠れる時間を最低限に抑えることができる。
【０１０２】
また、実施形態に係る端末装置１００において、関連表示部１６３は、関連画像を表示してから第１の時間が経過した場合に関連画像を非表示にし、アイコンを表示してから第１の時間よりも長い第２の時間が経過した場合にアイコンを非表示にする。
【０１０３】
これにより、実施形態に係る端末装置１００は、ユーザによる操作対象となるアイコンのみを表示する期間を設けることができるので、ユーザビリティを向上させることができる。
【０１０４】
また、実施形態に係る端末装置１００において、関連表示部１６３は、関連画像を表示してから関連画像を非表示にする時間が経過する前に、受付部１６２によって新たな指定操作が受け付けられた場合に、表示済みの関連画像を表示したまま、新たな指定操作において指定された位置に関連画像を新たに表示する。
【０１０５】
これにより、実施形態に係る端末装置１００は、壁紙画像としての役割も担う関連画像についてはユーザ操作に従って順次表示することにより、ゲーム性を有する壁紙表示を実現することができる。
【０１０６】
また、実施形態に係る端末装置１００において、関連表示部１６３は、アイコンを表示してからアイコンを非表示にする時間が経過する前に、受付部１６２によって新たな指定操作が受け付けられた場合に、表示済みのアイコンを非表示にするとともに、アイコンを新たに表示する。
【０１０７】
これにより、実施形態に係る端末装置１００は、ユーザが最後にタップした位置のみにアイコンを表示するので、壁紙画像が隠れる範囲を最低限に抑えることができる。また、端末装置１００は、操作後の指の近傍のみにアイコンを表示することができるので、ユーザビリティを向上させることができる。
【０１０８】
また、実施形態に係る端末装置１００において、関連表示部１６３は、壁紙画像に関連する演出で関連画像又はアイコンを非表示にする。
【０１０９】
これにより、実施形態に係る端末装置１００は、関連画像やアイコンが表示されてから非表示になるまで壁紙画像の世界観を維持することができる。
【０１１０】
また、実施形態に係る端末装置１００において、関連表示部１６３は、関連画像又はアイコンが表示されている位置に応じて、非表示にする演出を変動させる。
【０１１１】
これにより、実施形態に係る端末装置１００は、壁紙画像の世界観をより維持することができる。
【０１１２】
また、実施形態に係る端末装置１００において、関連表示部１６３は、受付部１６２によって受け付けられた任意の位置に応じて、異なる関連画像又はアイコンを表示する。
【０１１３】
これにより、実施形態に係る端末装置１００は、壁紙画像の世界観をより維持することができる。
【０１１４】
また、実施形態に係る端末装置１００において、関連表示部１６３は、アイコンが押下されることでアプリケーションが起動された場合に、アプリケーションが起動された後の画面に壁紙画像に関連する情報又は画像を表示する。
【０１１５】
これにより、実施形態に係る端末装置１００は、ユーザの嗜好性が高い世界観を各種アプリに反映させることができるので、ユーザ満足度を向上させることができる。
【０１１６】
また、実施形態に係る端末装置１００において、関連表示部１６３は、指定操作において指定された任意の位置に基づく位置にアイコンを表示する。
【０１１７】
これにより、実施形態に係る端末装置１００は、壁紙画像が隠れる範囲を最低限に抑えることができる。
【０１１８】
また、実施形態に係る端末装置１００において、関連表示部１６３は、指定操作において指定された任意の位置に関係なく予め決められている位置にアイコンを表示する。
【０１１９】
これにより、実施形態に係る端末装置１００は、待ち受け画面に表示される各種アイコンによって壁紙画像が隠れることを最低限に抑えることができる。
【０１２０】
また、実施形態に係る端末装置１００において、関連表示部１６３は、受付部１６２によって指定操作が受け付けられた場合に、かかる指定操作において指定された任意の位置から予め決められている位置までアイコンを移動させる。
【０１２１】
これにより、実施形態に係る端末装置１００は、ゲーム性を有するアイコンの表示を実現することができる。
【０１２２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２３】
また、特許請求の範囲に記載した「手段」は、「部（section、module、unit）」や「回路」などに読み替えることができる。例えば、受付手段は、受付部や受付回路に読み替えることができる。
【符号の説明】
【０１２４】
１００  端末装置
１１０  表示部
１３１  壁紙画像記憶部
１３２  関連情報記憶部
１６０  壁紙アプリ制御部
１６１  壁紙表示部
１６２  受付部
１６３  関連表示部
１６４  起動指示部
【図１】
0005579244.tif 000002
【図２】
0005579244.tif 000003
【図３】
0005579244.tif 000004
【図４】
0005579244.tif 000005
【図５】
0005579244.tif 000006
【図６】
0005579244.tif 000007
【図７】
0005579244.tif 000008
【図８】
0005579244.tif 000009
【図９】
0005579244.tif 000010
【図１０】
0005579244.tif 000011
【図１１】
0005579244.tif 000012
【図１２】
0005579244.tif 000013
【図１３】
0005579244.tif 000014
【図１４】
0005579244.tif 000015